(57)【要約】【課題】  画像を適切なタイミングで記録することができる内視鏡を提供すること。【解決手段】  被検体の体腔内に挿入可能な挿入部１１と、挿入部１１の先端部１６に設けられた対物レンズ１９と、対物レンズ１９から得られる前記被検体の体腔内の観察像を撮像する撮像素子４と、挿入部１１の基端側に設けられ、撮像素子４からの撮像信号を記録媒体に記録可能な信号に変換する画像データ変換回路３３と、前記記録可能な信号を記録する画像記録装置３２と、を備えることを特徴とする。【選択図】  図３
2005204886.tif 000002
【特許請求の範囲】
【請求項１】
被検体の体腔内に挿入可能な挿入部と、
該挿入部の先端部に設けられた対物レンズと、
該対物レンズから得られる前記被検体の体腔内の観察像を撮像する撮像手段と、
前記挿入部の基端側に設けられ、前記撮像手段からの撮像信号を記録媒体に記録可能な信号に変換する変換手段と、
前記記録可能な信号を記録する記録手段と、
を備えることを特徴とする内視鏡。
【請求項２】
前記記録手段は、前記変換手段により変換された記録可能な信号を第１記録媒体に記録する第１の記録手段と、第２の記録媒体に記録する第２の記録手段とからなることを特徴とする請求項１に記載の内視鏡。
【発明の詳細な説明】
【技術分野】
【０００１】
本発明は、小型の映像表示装置が一体になって携帯に適した内視鏡に関する。
【背景技術】
【０００２】
医療分野や工業分野で広く用いられている内視鏡には、接眼部にあたる部分にケーブルを介して据え置き型のテレビモニタを接続し、内視鏡で得た像をＣＣＤなどの撮像素子の受光部に結像させ、結像させた像を信号に変換し、信号に変換した像をケーブルを介して離れた位置にあるテレビモニタに供給し、その画面上に映像化して表示させるようにしたものがある。
また、光源装置と、小型の液晶モニタなどの映像表示装置と、光源や撮像素子、液晶モニタを駆動するバッテリとを具備した内視鏡が提案されている（例えば下記の特許文献１及び２参照）。
前者の内視鏡は、撮像素子で撮影された被写体の映像を、内視鏡に接続されたケーブルを介して据え置き型の映像表示装置や映像記録装置に出力するものであり、後者の内視鏡は、撮像素子で撮影された被写体の映像を無線信号によって同様に外部の据え置き型の映像表示装置や映像記録装置に出力するものである。
【特許文献１】特開平１１−９５４８号公報（図１）
【特許文献２】特開２００１−２８６４３９号公報（図１）
【発明の開示】
【発明が解決しようとする課題】
【０００３】
上記従来の内視鏡において、内視鏡装置の可搬性を重視すると、据え置き型の映像表示装置や映像記録装置では十分に対応できず、必要な画像を適切なタイミングで記録することが困難である。
【０００４】
本発明は上記の事情に鑑みてなされたものであり、画像を適切なタイミングで被写体の映像を記録することができる内視鏡を提供することを目的としている。
【課題を解決するための手段】
【０００５】
上記の課題を解決するための手段として、次のような構成の内視鏡を採用する。
すなわち、本発明にかかる内視鏡は、被検体の体腔内に挿入可能な挿入部と、該挿入部の先端部に設けられた対物レンズと、該対物レンズから得られる前記被検体の体腔内の観察像を撮像する撮像手段と、前記挿入部の基端側に設けられ、前記撮像手段からの撮像信号を記録媒体に記録可能な信号に変換する変換手段と、前記記録可能な信号を記録する記録手段と、を備えることを特徴とする。
【０００６】
この発明にかかる内視鏡では、撮像手段で撮像した観察像を、記録媒体に記録可能な信号に変換し、記録媒体に記録する。したがって、据え置き型の映像記録装置に接続する必要がなく、適切なタイミングで観察像を記録することができる。
【０００７】
また、本発明にかかる内視鏡は、前記記録手段が、前記変換手段により変換された記録可能な信号を第１記録媒体に記録する第１の記録手段と、第２の記録媒体に記録する第２の記録手段とからなることが好ましい。
【０００８】
この発明にかかる内視鏡では、複数の記録媒体を有することでより多くの観察像を記録することができる。また、例えば観察した日付に対応して異なる記録媒体に記録することで、記録した観察像を参照しやすい。
【発明の効果】
【０００９】
本発明の内視鏡によれば、記録手段と、撮像素子によって撮像された観察像をこの記録手段に記録可能な画像データに変換する変換手段とを備えることで、可搬性に優れると共に必要なタイミングで観察像を記録することができる。
【発明を実施するための最良の形態】
【００１０】
［第１の実施形態］
本発明の第１の実施形態を図１ないし図４に示して説明する。
図１ないし図４に示す本実施形態の内視鏡１は、被写体を照らす照明光を発する光源装置２と、内視鏡１で得た被写体の像を映像化して表示する映像表示装置３とを具備している。
内視鏡１は、先端を観察部位に挿入される挿入部１１と、挿入部１１の先端を湾曲操作するための操作部１２とを備えている。また、内視鏡１には、後述するイメージガイド１１ｂによって導かれた像（光）を受光するＣＣＤ等の撮像素子（撮像手段）４と、撮像素子４の受光部に結像する集光レンズ４ａとが設けられている。挿入部１１は、可撓性を有する細長い形状で、操作部１２の一端に接続されており、先端に位置する硬質な先端部１６と、先端部１６に連続して設けられた湾曲部１７と、湾曲部１７に連続して設けられて操作部１２に接続された可撓部１８とを備えている。先端部１６には、照明光に照らされた被写体からの反射光による像を結像する対物レンズ１９と、照明光を出射する照明窓１６ａとが設けられている。湾曲部１７および可撓部１８には、光源装置２から先端部１６に照明光を導くライトガイド１１ａと、対物レンズ１９に結像された像を撮像素子４に導くイメージガイド１１ｂとが内蔵されている。なお、撮像素子４は、図に示すように映像表示装置３に近い位置に設けられる場合と、後述する先端部１６に設けられる場合とがある。
【００１１】
操作部１２は、術者が内視鏡１を把持するための把持部１０と、挿入部１１に通された２本のワイヤ１１ｃを介して湾曲部１７を所望の方向に湾曲させるための湾曲操作レバー２０とを備えている。把持部１０は、棒状で親指とその他の指とで包み込むように握ることができる形に形成されている。把持部１０には、体液等の液体を吸引するための吸引口金１３と、鉗子等の処置具を挿入するための鉗子挿入口１４と、内視鏡１の水漏れ検査時に内視鏡１内部に空気を送るための通気口金１５とが設けられている。吸引口金１３には、図示しないチューブを介して吸引装置が接続されるようになっており、吸引装置を作動させることにより吸引口金１３を通じて体液等を吸引することができるようになっている。通気口金１５には、図示しないチューブを介して給気装置が接続されるようになっており、給気装置を作動させることにより通気口金１５から内視鏡１に空気を送り込み、内視鏡１内部の水漏れ検査を行うことができるようになっている。また、操作部１２には、映像表示装置３に表示されている映像を後述する第１の記録装置３２記録させる画像記録スイッチ３２ｂが設けられている。
【００１２】
湾曲操作レバー２０は、把持部１０を握った手の親指で操作できるように把持部１０に隣接して設けられている。湾曲操作レバー２０は、把持部１０を掴んだ親指の腹で操作される先端部２０ａと、先端部２０ａの一端に繋がる基端部２０ｂとからなるＬ字形で、操作部１２に設けられた軸１２ａに基端部２０ｂを軸支されて上下に揺動可能に支持されている。湾曲操作レバー２０は、先端部２０ａを親指で上下に押し引きすることでいずれか一方のワイヤ１１ｃに張力を、他方のワイヤ１１ｃに推力を作用させて湾曲部１７を自在に湾曲させることができるようになっている。
【００１３】
光源装置２は、光源ランプ２１と、術者が任意に光源ランプ２１を点灯／滅灯させるための手許スイッチ２２と、光源ランプ２１が発した照明光を集光する集光レンズ２３とを備えている。また、光源装置２には、後述する給電ケーブル６を着脱可能に接続されるコネクタ２ａが設けられている。光源ランプ２１、手許スイッチ２２およびコネクタ２ａは、光源装置２に内蔵された給電ライン２ｂによって直列に接続されている。
光源ランプ２１が発した照明光は、集光レンズ２３によって集光され、ライトガイド１１ａに導かれて照明窓１６ａから出射され、体腔内を照明するようになっている。
【００１４】
映像表示装置３は、操作部１２の他端に着脱可能に取り付けられている。映像表示装置３には、被写体の観察像を映像化して表示させるＬＣＤなどの表示素子３１と、被写体の像を記録する画像記録装置（記録手段）３２と、撮像素子４で撮像された被写体の像を画像記録装置３２に記録可能な信号（例えば、ＲＡＷデータなど）に変換する画像データ変換回路３３と、画像記録装置３２の空き容量を確認する記録制御回路３４と、撮像素子４で撮像された被写体の像を信号化して出力する撮像素子制御回路３５と、撮像素子制御回路３５から出力された信号を映像化して表示素子３１に表示させる表示素子制御回路３６とが設けられている。
また、撮像素子制御回路３５で信号化された被写体の像を外部に出力する画像信号出力端子３７が設けられている。
また、映像表示装置３には、光源装置２、撮像素子４、映像表示装置３の各部に電力を供給するバッテリ５が、交換可能に内蔵されている。このバッテリ５には、繰り返し充電して使用することができる二次電池が使用されている。
画像記録装置３２は、例えばメモリーカードで構成され、映像表示装置３に交換可能に内蔵されている。
また、撮像素子制御回路３５は、図示しないＣＣＵ（Ｃａｍｅｒａ  Ｃｏｎｔｒｏｌ  Ｕｎｉｔ）を備えており、撮像素子４で撮像された被写体の像の明度や色調などの調整を行うような構成となっている。
【００１５】
内視鏡１の上部にはブラケット１ｂが設けられ、映像表示装置３の下部にもブラケット３ａが設けられており、これら２つのブラケット１ｂ，３ａは、締め付け用のネジ８によって締結されている。映像表示装置３は、ネジ８を緩めることにより画面の向きを湾曲操作レバー２０側に傾斜させることができ、可動範囲内の所望の位置でネジ８を締めることにより固定することができるようになっている。
【００１６】
映像表示装置３と光源装置２とは、後述する給電ライン２１ａを内包する給電ケーブル６を介して接続されている。映像表示装置３と内視鏡１とは、後述する給電ライン４ｂおよび通信ラインＳ１を内包する集合ケーブル７を介して接続されている。給電ケーブル６および集合ケーブル７は、いずれも映像表示装置３側に固定され、先端にはそれぞれコネクタ６ａ，７ａが設けられている。コネクタ６ａは光源装置２のコネクタ２ａに着脱可能に接続され、コネクタ７ａは内視鏡１のコネクタ１ａに着脱可能に接続されるようになっている。
【００１７】
次に、内視鏡１の機能ブロック図を図４に示す。同図に示すように、上記の内視鏡装置には、撮像素子４から映像表示装置３に伝送される映像信号（撮像素子４において信号化された像）の入力の有無を検出する第１の検出部４１と、起動スイッチ３８のＯＮ／ＯＦＦの状態を検出する第２の検出部４２と、第１の検出部４１、第２の検出部４２の検出結果に基づいて光源装置２や表示素子３１に対する電力供給を断ったり、起動スイッチ３８の操作を無効にしたりする給電制御回路４３とが設けられている。また、内視鏡１には、給電制御回路４３によって駆動されることでバッテリ５から表示素子３１および表示素子制御回路３６への電力供給経路（後述する給電ライン３１ａ，３６ａ）を断続する電力供給スイッチ４４と、同じく給電制御回路４３によって駆動されることでバッテリ５から画像記録装置３２、画像データ変換回路３３および記録制御回路３４への電力供給経路（後述する給電ライン３２ａ，３３ａ，３４ａ）を断続する電力供給スイッチ４７と、同じく給電制御回路４３によって駆動されることでバッテリ５から光源装置２への電力供給経路（後述する給電ライン２１ａ）を断続する電力供給スイッチ４５と、給電制御回路４３によって駆動されることでバッテリ５から撮像素子４および撮像素子制御回路３５への電力供給経路（後述する給電ライン４ｂ，３５ａ）を断続する電力供給スイッチ４６とが設けられている。
【００１８】
撮像素子４とバッテリ５との間には、撮像素子４に電力を供給する給電ライン４ｂが設けられ、光源装置２とバッテリ５との間には、光源ランプ２１に電力を供給する給電ライン２１ａが設けられている。同様に、第１の検出部４１とバッテリ５との間には第１の検出部４１に電力を供給する給電ライン４１ａが設けられ、撮像素子制御回路３５とバッテリ５との間には撮像素子制御回路３５に電力を供給する給電ライン３５ａが設けられ、表示素子制御回路３６とバッテリ５との間には表示素子制御回路３６に電力を供給する給電ライン３６ａが設けられ、表示素子３１とバッテリ５との間には表示素子３１に電力を供給する給電ライン３１ａが設けられている。さらに、画像記録装置３２とバッテリ５との間には画像記録装置３２に電力を供給する給電ライン３２ａが設けられ、画像データ変換回路３３とバッテリ５との間には画像データ変換回路３３に電力を供給する給電ライン３３ａが設けられ、記録制御回路３４とバッテリ５との間には記録制御回路３４に電力を供給する給電ライン３４ａが設けられている。そして、第２の検出部４２とバッテリ５との間には第２の検出部４２に電力を供給する給電ライン４２ａが設けられ、給電制御回路４３とバッテリ５との間には給電制御回路４３に電力を供給する給電ライン４３ａが設けられている。
電力供給スイッチ４４は給電ライン３１ａ，３６ａの途中に設けられ、電力供給スイッチ４７は給電ライン３２ａ，３３ａ，３４ａの途中に設けられ、電力供給スイッチ４５は給電ライン２１ａの途中に設けられ、電力供給スイッチ４６は給電ライン２１ａ，３５ａの途中に設けられている。
【００１９】
撮像素子４と撮像素子制御回路３５との間には、撮像素子４で取得された映像信号を撮像素子制御回路３５に伝送する信号ラインＳ１が設けられ、撮像素子制御回路３５と表示素子制御回路３６との間には、撮像素子制御回路３５に入力された映像信号を表示素子制御回路３６に伝送する信号ラインＳ２が設けられ、表示素子制御回路３６と表示素子３１との間には、表示素子制御回路３６に入力された映像信号を表示素子３１に入力する信号ラインＳ３が設けられている。
第１の検出部４１は、信号ラインＳ２の途中に設けられている。
【００２０】
給電制御回路４３と第１の検出部４１との間には、第１の検出部４１が出力した信号を給電制御回路４３に伝送する信号ラインＳ４が設けられ、給電制御回路４３と第２の検出部４２との間には、第２の検出部４２が出力した信号を給電制御回路４３に伝送する信号ラインＳ５が設けられている。また、給電制御回路４３と電力供給スイッチ４４との間には、表示素子３１への電力供給を断続するために給電制御回路４３が出力した信号を電力供給スイッチ４４に伝送する信号ラインＳ６が設けられ、給電制御回路４３と電力供給スイッチ４５との間には、光源ランプ２１への電力供給を断続するために給電制御回路４３が出力した信号を電力供給スイッチ４５に伝送する信号ラインＳ７が設けられており、撮像素子４への電力供給を断続するために給電制御回路が出力した信号を電力供給スイッチ４５に伝送する信号ラインＳ８が設けられ、給電制御回路４３と電力供給スイッチ４７との間には、画像記録装置３２への電力供給を断続するために給電制御回路４３が出力した信号を電力供給スイッチ４７に伝送する信号ラインＳ９が設けられている。
【００２１】
また、起動スイッチ３８と第２の検出部４２との間には、起動スイッチ３８のＯＮ／ＯＦＦの状態を示す信号を伝送する信号ラインＳ１０が設けられ、給電制御回路４３と起動スイッチ３８との間には、起動スイッチ３８の操作を無効にするために給電制御回路４３が出力した信号を起動スイッチ３８に伝送する信号ラインＳ１１が設けられている。
【００２２】
さらに、撮像素子制御回路３５と画像データ変換回路３３との間には、撮像素子制御回路３５に入力された映像信号を画像データ変換回路３３に伝送する信号ラインＳ１２が設けられ、画像データ変換回路３３と記録制御回路３４との間には、画像データ変換回路３３で変換された画像記録装置３２で記録可能なデータを記録制御回路３４に伝送する信号ラインＳ１３が設けられ、記録制御回路３４と画像記録装置３２との間には、記録可能なデータを画像記録装置３２に伝送する信号ラインＳ１４が設けられている。
また、撮像素子制御回路３５と画像信号出力端子３７との間には、撮像素子制御回路３７に入力された映像信号を外部に出力する信号ラインＳ１５が設けられている。
【００２３】
次に、上記のように構成された内視鏡１において実施される映像信号の記録方法について、図５のフローチャートを用いて説明する。
まず、第２の検出部４２は起動スイッチ３８がＯＮ状態であることを確認し、バッテリ５が内視鏡１に給電を行い、内視鏡１を起動する（ステップＳＴ１）。
次に、記録制御回路３４は、画像記録装置３２に空き容量があるか判別する（ステップＳＴ２）。
【００２４】
ステップＳＴ２において、記録制御回路３４が画像記録装置３２に空き容量がないと判別した場合、表示素子３１は画像記録装置３２に空き容量がないことを表示する（ステップＳＴ３）。
ここで、第２の検出部４２は、内視鏡１の起動スイッチ３８がＯＮ状態にあるかＯＦＦ状態にあるか判別する（ステップＳＴ４）。
ステップＳＴ４において、第２の検出部４２が起動スイッチ３８のＯＦＦ状態を確認した場合は、バッテリ５から内視鏡１への給電を終了することで内視鏡１による観察を終了する。一方、ステップＳＴ４において、第２の検出部４２が起動スイッチ３８のＯＮ状態を確認した場合は、ステップＳＴ２に戻る。
【００２５】
ステップＳＴ２において、記録制御回路３４が画像記録装置３２に空き容量があると判別した場合は、画像記録スイッチ３２ｂがＯＮ状態にあるかＯＦＦ状態にあるか判別する（ステップＳＴ５）。
ステップＳＴ５において、画像記録スイッチ３２ｂがＯＮ状態にあると判別した場合、画像記録装置３２に記録可能な映像データを画像記録装置３２に記録する（ステップＳＴ６）。
【００２６】
ステップＳＴ６において画像記録装置３２に記録された映像データを、表示素子３１が表示する（ステップＳＴ７）。そして、ステップＳＴ４に進む。
また、ステップＳＴ５において画像記録スイッチ３２ｂがＯＦＦ状態にあると判別した場合、ステップＳＴ４に進む。
【００２７】
上記のように構成された内視鏡１においては、撮像素子４で撮像された観察像を、映像表示装置３に内蔵された画像記録装置３２に記録できる。したがって、外付けの記録装置などの特別な機器を用いることなく、容易に必要なタイミングで被写体の像を記録することが可能になる。
【００２８】
［第２の実施形態］
本発明の第２の実施形態を図６及び図７に示して説明する。なお、上記第１の実施形態にて既に説明した構成要素には同一符号を付して説明は省略する。
第２の実施形態と第１の実施形態との異なる点は、第１の実施形態における内視鏡１では、映像表示装置３が被写体の像を記録する記録媒体が画像記録装置３２のみであったのに対し、第２の実施形態における内視鏡５０では、映像表示装置５１が第１の画像記録装置５２及び第２の画像記録装置５３を備えている点である。
【００２９】
すなわち、本実施形態における映像表示装置５１には、例えばメモリーカードで構成されて映像表示装置５１に交換可能に内蔵されている第１の画像記録装置５２と、例えばＨＤＤやビデオメモリで構成されて映像表示装置５１に内蔵されている第２の画像記録装置５３と、第１の画像記録装置５２及び第２の画像記録装置５３の記録容量を確認すると共に第１の画像記録装置５２または第２の画像記録装置５３の画像記録箇所を選択する記録制御回路５４が備えられている。
【００３０】
次に、内視鏡５０の機能ブロック図を図７に示す。同図に示すように、上記の内視鏡５０には、給電制御回路４３によって駆動されることでバッテリ５から第１の画像記録装置５２、第２の画像記録装置５３、画像データ変換回路３３および記録制御回路５４への電力供給経路（後述する給電ライン５２ａ，５３ａ，３３ａ，５４ａ）を断続する電力供給スイッチ５５が設けられている。
第１の画像記録装置５２とバッテリ５との間には、第１の画像記録装置５２に電力を供給する給電ライン電力供給スイッチ５５は給電ライン５２ａが設けられ、第２の画像記録装置５３とバッテリ５との間には第２の画像記録装置５３に電力を供給する給電ライン５３ａが設けられ、記録制御回路５４とバッテリ５との間には記録制御回路５４に電力を供給する給電ライン５４ａが設けられている。
電力供給スイッチ５５は、給電ライン５２ａ，５３ａ，３３ａ，５４ａの途中に設けられている。
【００３１】
記録制御回路５４と第１の画像記録装置５２との間には、記録制御回路５４によって振り分けられた記録可能なデータを第１の画像記録装置５２に伝送する信号ラインＳ２０が設けられ、記録制御回路５４と第２の画像記録装置５３との間には、信号ラインＳ２０と同様に記録制御回路５４によって振り分けられた記録可能なデータを第２の画像記録装置５３に伝送する信号ラインＳ２１が設けられている。
【００３２】
次に、上記のように構成された内視鏡５０において実施される映像信号の記録方法について、図８のフローチャートを用いて説明する。
まず、上述した第１の実施形態と同様に、第２の検出部４２は起動スイッチ３８がＯＮ状態であることを確認し、バッテリ５が内視鏡５０に給電を行い、内視鏡５０を起動する（ステップＳＴ１１）。
次に、記録制御回路５４は、第１の画像記録装置５２及び第２の画像記録装置５３に空き容量があるか判別する（ステップＳＴ１２）。
【００３３】
ステップＳＴ１２において、記録制御回路５４が第１の画像記録装置５２及び第２の画像記録装置５３に空き容量がないと判別した場合、表示素子３１は第１の画像記録装置５２及び第２の画像記録装置５３に空き容量がないことを表示する（ステップＳＴ１３）。
ここで、第２の検出部４２は、内視鏡５０の起動スイッチ３８がＯＮ状態にあるかＯＦＦ状態にあるか判別する（ステップＳＴ１４）。
ステップＳＴ１４において、第２の検出部４２が起動スイッチ３８のＯＦＦ状態を確認した場合は、バッテリ５から内視鏡５０への給電を終了することで内視鏡５０による観察を終了する。一方、ステップＳＴ１４において、第２の検出部４２が起動スイッチ３８のＯＮ状態を確認した場合は、ステップＳＴ１２に戻る。
【００３４】
ステップＳＴ１２において、記録制御回路５４が第１の画像記録装置５２または第２の画像記録装置５３に空き容量があると判別した場合は、画像記録スイッチ３２ｂがＯＮ状態にあるかＯＦＦ状態にあるか判別する（ステップＳＴ１５）。
ステップＳＴ１５において、画像記録スイッチ３２ｂがＯＮ状態にあると判別した場合、記録制御回路３４が第１の画像記録装置５２に空き容量があるか判別する（ステップＳＴ１６）。
ステップＳＴ１６において、記録制御回路５４が、第１の画像記録装置５２に空き容量があると判別した場合、第１の画像記録装置５２に記録可能な映像データを第１の画像記録装置５２に記録する（ステップＳＴ１７）。
一方、ステップＳＴ１６において、記録制御回路３４が、第１の画像記録装置５２に空き容量がないと判断された場合、映像データを第２の画像記録装置５３に記録する（ステップＳＴ１８）。
【００３５】
ステップＳＴ１７またはステップＳＴ１８において第１の画像記録装置５２または第２の画像記録装置５３に記録された映像データを、表示素子３１が表示する（ステップＳＴ１９）。そして、ステップＳＴ１４に進む。
また、ステップＳＴ１５において画像記録スイッチ３２ｂがＯＦＦ状態にあると判別した場合、ステップＳＴ１４に進む。
【００３６】
上記のように構成された内視鏡５０においては、映像表示装置５１が２つの画像記録装置である第１の画像記録装置５２及び第２の画像記録装置５３を備えることで、第１の画像記録装置５２への記録が容量不足であっても第２の画像記録装置５３に記録することができる。
【００３７】
なお、本実施形態において、第１の画像記録装置５２及び第２の画像記録装置５３に記録される被写体の像は、静止画像だけでなく、動画像も記録できる構成であってもよい。
このとき、第１の画像記録装置５２に静止画像を記録し、第２の画像記録装置５３に動画像を記録するように静止画像と動画像とで別の画像記録装置に記録するような構成としてもよい。このようにすることで、観察後に行う記録した画像の編集が容易となる。ここで、画像記録スイッチ３２ｂがＯＮ状態となっている間は、被写体の動画像を記録するようにしてもよく、画像記録スイッチ３２ｂがＯＮ状態となっている時間が１秒未満では静止画像で１秒以上では動画像を記録するような構成としてもよい。
【００３８】
また、内視鏡５０による観察を行った日付によって被写体の像を記録する記録装置を変更してもよい。これは、被検者のＩＤなどで変更してもよい。
【００３９】
［第３の実施形態］
本発明の第３の実施形態を図９及び図１０に示して説明する。なお、上記第２の実施形態にて既に説明した構成要素には同一符号を付して説明は省略する。
第３の実施形態と第２の実施形態との異なる点は、第２の実施形態における内視鏡５０では、撮像された観察像は、第１の記録装置５２または第２の記録装置５３に記録されたが、第３の実施形態における内視鏡６０では、映像表示装置６１が、メモリスティック（登録商標）などの携帯型固定メモリである外部メモリ６２を着脱可能に接続するＵＳＢ（Ｕｎｉｖｅｒｓａｌ  Ｓｅｒｉａｌ  Ｂｕｓ）端子などの接続端子６３を備えている点である。
【００４０】
すなわち、本実施形態における映像表示装置６１には、第１の画像記録装置５２、第２の画像記録装置５３及び外部メモリ６２の記録容量を確認すると共に第１の画像記録装置５２、第２の画像記録装置５３または外部メモリ６２の画像記録箇所を選択する記録制御回路６４が備えられている。
次に、内視鏡６０の機能ブロック図を図１０に示す。同図に示すように、記録制御回路６４と外部メモリ６２との間には記録制御回路６４によって振り分けられた記録可能なデータを第２の画像記録装置５３に伝送する信号ラインＳ３０が設けられている。
【００４１】
上記のように構成された内視鏡６０においては、映像表示装置６１が外部メモリ６２と接続可能な接続端子６３を備えていることで、画像を記録する記録容量を増設することができる。
【００４２】
なお、本発明は上記実施形態に限定されるものではなく、本発明の趣旨を逸脱しない範囲において種々の変更を加えることが可能である。
例えば、上記実施形態において、撮像素子制御回路３５、表示素子制御回路３６、表示素子３１、バッテリ５などの主要な構成要素が映像表示装置側に設けられた構造の内視鏡について説明したが、本発明の内視鏡は上記構造の内視鏡に限らず、第１の実施形態において例えば図１１に示すように、撮像素子４も含めて上記主要な構成要素が映像表示装置３側に設けられた構造の内視鏡に適用することも可能である。また、図１２に示すように、光源装置２及び映像表示装置３が一体となった構造の内視鏡に適用することも可能である。
【００４３】
また、画像記録装置による被写体の像の記録は、画像記録スイッチ３２ｂをＯＮ状態とした場合に限らず、音声認識手段を設け、この音声認識手段によって被写体の像を記録するような構成としてもよい。
また、記録された画像データを外付けのパーソナルコンピュータなどに無線通信を用いてデータ転送を行う、無線通信手段を備えてもよい。
また、画像記録装置には、撮像素子制御回路に備えられたＣＣＵによって、明度や色調を調整した被写体の像を記録したが、撮像素子制御回路にＣＣＵを設けず、明度や色調を調整していない被写体の像を記録してもよい。このとき、画像記録装置に記録された被写体の像を外部のモニタに表示するときには、ＣＣＵの機能を備えた装置を介しすることで明度や色調を調整してから出力する。
【産業上の利用可能性】
【００４４】
本発明の内視鏡は、上記のような医療用だけでなく工業用にも好適に利用することが可能である。
【００４５】
（付記項１）  被写体の像を撮像する撮像素子を備える内視鏡と、前記被写体を照らす照明光を発する光源装置と、前記内視鏡で得た前記被写体の像を映像化して表示する映像表示装置とを一体的に構成した内視鏡装置であって、前記被写体の映像を記録する記録手段を備えることを特徴とする内視鏡装置。
【００４６】
この内視鏡装置によれば、被写体の映像を記録する記録手段が一体的に構成されることで、可搬性を有すると共に必要なタイミングで観察像を記録することができる。
【００４７】
（付記項２）  前記記録手段を駆動して前記撮像素子が撮影している前記被写体の映像を記録するスイッチを備えていることを特徴とする付記項１に記載の内視鏡装置。
【００４８】
この内視鏡装置によれば、撮像素子が撮影している被写体の映像を、スイッチをＯＮ状態とすることで記録手段に記録する。
【００４９】
（付記項３）  前記記録手段を複数備えることを特徴とする付記項１または２に記載の内視鏡装置。
【００５０】
この内視鏡装置によれば、記録手段を複数備えることによって、被写体の映像を記録する記録容量を大きくすることができる。
【００５１】
（付記項４）  前記複数の記録手段の少なくともいずれか一つが、前記被写体の映像を記録する媒体を着脱可能であることを特徴とする付記項３に記載の内視鏡装置。
【００５２】
この内視鏡装置によれば、十分な記録容量を有する記録手段と交換することで被写体の映像を記録することができる。また、着脱可能であることで記録手段に記録された画像データの編集を容易に行うことができる。
【００５３】
（付記項５）  前記複数の記録手段のいずれか一つにでも前記被写体の映像を記録可能な空き容量が存在するか否かを判別し、少なくともいずれか一つの記録手段に空き容量が存在する場合、空きありと判明した前記複数の記録手段のいずれかに前記被写体の映像を記録する制御部を備えることを特徴とする付記項３または４に記載の内視鏡装置。
【００５４】
この内視鏡装置によれば、制御部により空き容量が存在すると判別された記録手段に被写体の映像を記録する。
【００５５】
（付記項６）  前記被写体の映像を外部に出力する出力端子を備えることを特徴とする付記項１から５のいずれか１項に記載の内視鏡装置。
【００５６】
この内視鏡装置によれば、出力端子から据え置き型の映像表示装置や記録装置に接続することができ、より大きな画面での観察やより多くの観察像の記録が可能となる。
【図面の簡単な説明】
【００５７】
【図１】本発明にかかる第１の実施形態における内視鏡の斜視図である。
【図２】本発明にかかる第１の実施形態における内視鏡を図１とは異なる方向から見た斜視図である。
【図３】本発明にかかる第１の実施形態における内視鏡の内部構造を示す概略図である。
【図４】本発明にかかる第１の実施形態における内視鏡の機能ブロック図である。
【図５】本発明にかかる第１の実施形態における内視鏡による観察像の記録方法を説明するためのフローチャートである。
【図６】本発明にかかる第２の実施形態における内視鏡の内部構造を示す概略図である。
【図７】本発明にかかる第２の実施形態における内視鏡の機能ブロック図である。
【図８】本発明にかかる第２の実施形態における内視鏡による観察像の記録方法を説明するためのフローチャートである。
【図９】本発明にかかる第３の実施形態における内視鏡の内部構造を示す概略図である。
【図１０】本発明にかかる第３の実施形態における内視鏡の機能ブロック図である。
【図１１】本発明にかかる実施形態以外の、本発明を適用可能な内視鏡の内部構造を示す概略図である。
【図１２】同じく、本発明にかかる実施形態以外の、本発明を適用可能な内視鏡の内部構造を示す概略図である。
【符号の説明】
【００５８】
１、５０、６０  内視鏡
４  撮像素子（撮像手段）
１１  挿入部
１６  先端部
１９  対物レンズ
３２  画像記録装置（記録手段）
３３  画像データ変換回路（変換手段）
５２  第１の画像記録装置（第１の記録手段）
５３  第２の画像記録装置（第２の記録手段）
【図１】
2005204886.tif 000003
【図２】
2005204886.tif 000004
【図３】
2005204886.tif 000005
【図４】
2005204886.tif 000006
【図５】
2005204886.tif 000007
【図６】
2005204886.tif 000008
【図７】
2005204886.tif 000009
【図８】
2005204886.tif 000010
【図９】
2005204886.tif 000011
【図１０】
2005204886.tif 000012
【図１１】
2005204886.tif 000013
【図１２】
2005204886.tif 000014